(57)【要約】【課題】  カップ内に排泄された汚物を、吸排気ファン又は真空ポンプにより確実に吸引する事を目的とするものである。【解決手段】  使用者の臀部に装着するカップと、このカップと接続チューブにより接続され、吸排気ファン又は真空ポンプによりカップ内に排泄された汚物を吸引して貯溜する汚物タンクとを備えたものにおいて、カップの内部底面に排泄物を受ける排泄物受溝を形成すると共に、この排泄物受溝の溝底に排水孔を開口し、かつこの排水孔をトラップ状の排水路を介して接続チューブに接続して成る。【選択図】        図２
2008237420.tif 000002
【特許請求の範囲】
【請求項１】
使用者の臀部に装着するカップと、このカップと接続チューブにより接続され、吸排気ファン又は真空ポンプにより上記カップ内に排泄された汚物を吸引して貯溜する汚物タンクとを備えたものにおいて、上記カップの内部底面に排泄物を受ける排泄物受溝を形成すると共に、この排泄物受溝の溝底に排水孔を開口し、かつこの排水孔をトラップ状の排水路を介して上記接続チューブに接続した事を特徴とする自動排泄物処理装置。
【請求項２】
上記排水路を上記カップに一体成型した事を特徴とする、上記請求項１に記載の自動排泄物処理装置。
【請求項３】
上記排水路の一部を、上記カップに着脱可能に装着した底蓋に一体成形した事を特徴とする、上記請求項２に記載の自動排泄物処理装置。
【請求項４】
使用者の臀部に装着するカップと、このカップと接続チューブにより接続され、吸排気ファン又は真空ポンプにより上記カップ内に排泄された汚物を吸引して貯溜する汚物タンクと、上記カップ内に配置した洗浄ノズルに洗浄水を供給する給水手段とを備えたものにおいて、上記カップの内部底面に排泄物を受ける排泄物受溝を形成し、かつこの排泄物受溝の溝底に開口した排水孔をトラップ状の排水路を介して上記接続チューブに接続すると共に、上記吸排気ファン又は真空ポンプや給水手段を制御する制御手段を備え、この制御手段を、上記吸排気ファン又は真空ポンプを作動して上記カップ内の汚物を汚物タンク内に吸引した後、上記給水手段を所定時間作動して上記排泄物受溝内に貯水する様に構成した事を特徴とする自動排泄物処理装置。
【発明の詳細な説明】
【技術分野】
【０００１】
本発明は、病院等にて自力で歩けない状態でベッドに収容されている病人や怪我人、或いは寝たきり老人等の介護に好適な自動排泄物処理装置に関する。
【背景技術】
【０００２】
寝たきり老人や病人の排便処理を行う排便処理装置では、例えば特許文献１に示される様に、介護人の臀部におむつカップ２を装着し、このおむつカップと汚水タンク６とを吸引ホース１２で接続し、かつ汚水タンクに吸引モータを接続し、この吸引モータにより汚水タンク内の空気を排出することで、おむつカップ内の汚物を汚水タンク内に吸引して溜める様に構成している。
【特許文献１】特開２００５−６６０１１号公報
【発明の開示】
【発明が解決しようとする課題】
【０００３】
一方、上記吸引ホースによるおむつカップ内の汚物の吸引に際しては、おむつカップの比較的低い位置にカップ内吸引口１７を開口しているものの、吸引モータの作動による吸引時にはカップ内吸引口部に落下した汚物の隙間よりおむつカップ内の空気も吸引され、汚物の吸引がスムーズに行えないという問題がある。
【０００４】
そこで本発明は、カップ内の汚物の吸引を確実に行う事を目的とするものである。
【課題を解決するための手段】
【０００５】
本発明の請求項１の構成は、使用者の臀部に装着するカップと、このカップと接続チューブにより接続され、吸排気ファン又は真空ポンプによりカップ内に排泄された汚物を吸引して貯溜する汚物タンクとを備えたものにおいて、カップの内部底面に排泄物を受ける排泄物受溝を形成すると共に、この排泄物受溝の溝底に排水孔を開口し、かつこの排水孔をトラップ状の排水路を介して接続チューブに接続して成るものである。
【０００６】
本発明の請求項２の構成は、請求項１の構成において、排水路をカップに一体成型して成るものである。
【０００７】
本発明の請求項３の構成は、請求項１の構成において、排水路の一部をカップに着脱可能に装着した底蓋に一体成形して成るものである。
【０００８】
本発明の請求項４の構成は、使用者の臀部に装着するカップと、このカップと接続チューブにより接続され、吸排気ファン又は真空ポンプによりカップ内に排泄された汚物を吸引して貯溜する汚物タンクと、カップ内に配置した洗浄ノズルに洗浄水を供給する給水手段とを備えたものにおいて、カップの内部底面に排泄物を受ける排泄物受溝を形成し、かつこの排泄物受溝の溝底に開口した排水孔をトラップ状の排水路を介して接続チューブに接続すると共に、吸排気ファン又は真空ポンプや給水手段を制御する制御手段を備え、この制御手段を、吸排気ファン又は真空ポンプを作動してカップ内の汚物を汚物タンク内に吸引した後、給水手段を所定時間作動して排泄物受溝内に貯水する様に構成して成るものである。
【発明の効果】
【０００９】
本発明の請求項１に記載の構成により、排水路をトラップ状に構成したことにより、このトラップによって排泄物受溝内に貯水し、この貯水により吸排気ファン又は真空ポンプの作動による汚物の吸引を確実に行う事が出来るものである。
【００１０】
本発明の請求項２に記載の構成により、トラップ状の排水路をカップに一体成形したことで、例えば接続チューブにトラップを形成する場合に比較し、カップと接続チューブとの接続をスムーズに行う事が出来るものである。
【００１１】
本発明の請求項３に記載の構成により、排水路の一部を着脱可能な底蓋に形成したことで、固形状の汚物が排水路の途中に詰まる等の、何らかの原因により排水路が閉塞しても、底蓋の着脱により容易に排水路を掃除する事が出来るものである。
【００１２】
本発明の請求項４に記載の構成により、吸排気ファン又は真空ポンプを作動してカップ内の汚物を汚物タンク内に吸引した後、給水手段を作動して排泄物受溝内に貯水する様に構成したことで、次回の汚物の吸引時において、吸引開始時における排水路内への空気の混入を防止して、吸引動作を確実に行う事が出来るものである。
【発明を実施するための最良の形態】
【００１３】
本発明による実施例を先ず図１に基づき説明すると、１は自動排泄処理機本体で、給水手段である温水器２と、汚物タンク３と、消臭フィルター４と、吸排気ファン５と、温風ヒータ６と、制御回路７とを主に内蔵している。
【００１４】
上記温水器２は、温水ヒータ８を収納した温水タンク９の上に給水タンク１０を着脱自在に連結し、温度センサ１１にて上記温水タンク9内の水温を検出して上記温水ヒータ８への通電を制御回路７にて制御し、温水タンク9内の水温を設定温度に加熱する。
【００１５】
上記吸排気ファン５は、吸引ホース１２を上記消臭フィルター４に接続し、かつこの消臭フィルターを汚物タンク３の排気管１３に接続している。
【００１６】
１４は介護者の臀部に装着するカップで、臀部に温風を噴出する図示しない温風ノズルや、おしりに洗浄水を噴出する洗浄ノズル１５、カップ内への汚物の排泄を検出するセンサ１６を装着していると共に、排泄された汚物を吸引する吸引パイプ１７と、上記温風ノズルに温風を供給する温風パイプ１８を連結し、かつこれらの洗浄ノズル１５、吸引パイプ１７、温風パイプ１８等は接続チューブ１９により上記自動排泄処理機本体１の適所に装着されたコネクタ２０に着脱自在に連結される。
【００１７】
そして、上記吸排気ファン５の排気ホース２１は、上記温風ヒータ６−温風管２２−コネクタ２０−接続チューブ１９を介して上記温風パイプ１８に連通され、吸排気ファン５による送風を温風ヒータ６にて所定の設定温度に加熱してカップ１４内に供給する。
【００１８】
一方、カップ１４内に供給された温風は、上記吸排気ファン５の吸気により吸引パイプ１７より吸引されて接続チューブ１９を通った後、上記コネクタ２０に接続された吸引ホース２３を通って汚物タンク３に吸引され、この汚物タンクを経て排気管１３より消臭フィルター４を介して吸引ホース１２より吸排気ファン５に吸引され、上記の循環を繰り返す。
【００１９】
又、上記吸引パイプ１７により吸引された汚物は、汚物タンク３内にて空気と分離されて汚物タンクに貯溜され、この貯溜された汚物より発生する臭気は上記消臭フィルター４により脱臭されるものである。
【００２０】
上記温水タンク９内の温水は、手動による洗浄操作、又はセンサ１６による排便や排尿の検出による洗浄運転により、温水ポンプ２５にて送水ホース２６−接続チューブ１９を経て洗浄ノズル１５より臀部に向けて噴射される。
【００２１】
図２及び図３は上記カップ１４の側面断面図を示すもので、内側に、寝たきり老人等の被介護者の股部を収容する収容凹所３０を形成していると共に、この収容凹所の底部に、被介護者から排泄された汚物を受ける排泄物受溝３１を形成し、かつこの排泄物受溝の底面にテーパ面を形成し、その最も低い溝底に排水孔３２を開口している。
【００２２】
又、上記カップ１４の底部には、上記排水孔３２に連通した略Ｕ字状でトラップを構成する排水路３３を一体に形成し、この排水路は上記接続チューブ１９に収納された吸引パイプ１７に接続される。
【００２３】
これらの構成により、上記洗浄ノズル１５より排泄物受溝３１内に水３４を貯水することで、この水が上記トラップ状の排水路３３内に充満してこの排水路を閉塞し、上記吸排気ファン５を作動して排泄物受溝３１内に排泄された排泄物を汚物タンク３に吸引時には、上記排水路３３の閉塞により吸引パイプ１７内が負圧となり、水３４と共に汚物を確実に汚物タンク３内に吸引する事が出来るものである。
【００２４】
一方上記排水路３３は、その一部３５を上記カップ１４の底面に着脱可能に装着した底蓋３６に一体成形しており、これにより、被介護者の排泄物に固形物が混入する等により排水路３３内が詰まった場合でも、上記底蓋３６を取り外して排水路３３を露出することにより、排水路３３を簡単に掃除する事が出来るものである。
【００２５】
尚、実施例では、上記底蓋３６を、その一端をカップ１４に形成した係止溝３７に係止し、他端をビス３８で固定することで、着脱可能に構成しているが、この構成に限定されることなく、底蓋３６を着脱自在又は着脱可能に構成すれば良く、かつ図示していないが、底蓋３６とカップ１４との接合部分には、シール用のパッキンを装着する。
【００２６】
更に上記実施例では、カップ１４の背面に排水路３３に接続した接続管３９を突設し、この接続管に吸引パイプ１７を一体的に接続しているが、電気掃除機の吸引ホースの様にプラグにより着脱自在な構成としても良い。
【００２７】
又、上記接続管３９の取付け高さＨ２は、上記排泄物受溝３１の最も高い位置Ｈ１よりも高い位置に設定し、これにより、排泄物受溝３１内に貯めた水３４が、排水路３３を確実に満たす様に構成している。
【００２８】
而して、制御回路７はセンサ１６にて排泄を検出すると、温水ポンプ２５を作動して温水タンク9内の温水を送水ホース２６−接続チューブ１９を介して洗浄ノズル１５より噴射すると共に、吸排気ファン５を作動してカップ１４内の排泄物受溝３１に排泄された排泄物を、排水路３３−吸引パイプ１７−接続チューブ１９−コネクタ２０−吸引ホース２３を介して汚物タンク３内に吸引する。
【００２９】
又上記汚物タンク３内の空気は、排気管１３にて消臭フィルター４を通過した後、吸引ホース１２より吸排気ファン５に吸引され、その後排気ホース２１−温風管２２−コネクタ２０−接続チューブ１９を介して温風パイプ１８よりカップ１４内に噴射され、以降上記の循環を繰り返す。
【００３０】
そして、上記吸排気ファン５による排泄物の吸引に際しては、排水路３３が排泄物受溝３１内に貯められた水３４により閉塞されている為、吸排気ファン５による吸引によって吸引パイプ１７内が確実に負圧となり、上記水３４と排泄物受溝３１内に落下した汚物とを同時に汚物タンク３内に確実に吸引する事が出来るものである。
【００３１】
そして、上記温水ポンプ２５は予め設定した所定時間作動して使用者の臀部を洗浄し、その後温風ヒータ６に通電して温風管２２−コネクタ２０−接続チューブ１９を介して温風パイプ１８よりカップ１４内に温風を供給することで、使用者の臀部の乾燥を行う。
【００３２】
一方、上記制御回路７は、上記使用者の臀部の洗浄や乾燥を行った後、温水ポンプ２５を排泄物受溝３１や排水路３３の容積等に応じて予め設定した所定時間作動して、排泄物受溝３１内に所定量の水３４を貯水する様に制御する。
【００３３】
これにより、使用者が排泄した排泄物は排泄物受溝３１の水３４に落下することで、排泄物のカップ１４表面への付着を防止し、かつ排水路３３のトラップ構造により、吸排気ファン５による排泄物の吸引を確実に行う事が出来るものである。
【００３４】
尚、上記実施例では排泄物の吸引に吸排気ファン５を用いているが、これに限定されることなく真空ポンプを用いても良く、かつ、上記臀部の洗浄や乾燥工程後に排泄物受溝３１へ給水する制御を、予め設定した時間で行っているが、これに限定されることなく、排泄物受溝３１内に水位センサを設け、この水位センサの出力に応じて温水ポンプ２５を制御しても良い。
【図面の簡単な説明】
【００３５】
【図１】本発明の実施例を示す概略構成図である。
【図２】同じくカップの側面縦断面図である。
【図３】同じくカップの斜視図である。
【符号の説明】
【００３６】
２    温水器（給水手段）
３    汚物タンク
５    吸排気ファン
７    制御手段
１４  カップ
１９  接続チューブ
３１  排泄物受溝
３２  排水孔
３３  排水路
３５  排水孔の一部
３６  底蓋
【図１】
2008237420.tif 000003
【図２】
2008237420.tif 000004
【図３】
2008237420.tif 000005